(57)【特許請求の範囲】
【請求項１】
交換機であって、
端末のユーザが契約している契約会社と接続先通信装置と切替先通信装置との各々の識別情報が対応付けられた変換用情報を記憶する記憶手段と、
端末から接続先通信装置の識別情報を受信する受信手段と、
前記記憶手段に記憶された変換用情報に基づいて、前記受信手段により受信した接続先通信装置の識別情報を前記端末のユーザが契約している会社に応じた切替先通信装置の識別情報に変換する変換手段と、
前記変換手段により変換された切替先通信装置の識別情報を用いて、前記切替先通信装置と前記端末との接続処理を行う接続手段と
を備えたことを特徴とする交換機。
【請求項２】
交換機における端末と通信装置との接続処理方法であって、
端末のユーザが契約している契約会社と接続先通信装置と切替先通信装置との各々の識別情報が対応付けられた変換用情報を記憶する記憶ステップと、
端末から接続先通信装置の識別情報を受信する受信ステップと、
前記記憶ステップにおいて記憶された変換用情報に基づいて、前記受信ステップにおいて受信した接続先通信装置の識別情報を前記端末のユーザが契約している会社に応じた切替先通信装置の識別情報に変換する変換ステップと、
前記変換ステップにおいて変換された切替先通信装置の識別情報を用いて、前記切替先通信装置と前記端末との接続処理を行う接続ステップと
を備えることを特徴とする接続処理方法。
【発明の詳細な説明】
【０００１】
【発明の属する技術分野】
本発明は、交換機、情報蓄積装置、接続処理方法および通信方法に関する。
【０００２】
【従来の技術】
従来、ＰＤＣ（Personal Digital Cellular）パケットサービス等において、移動装置とサーバ装置との接続が行われていた。
【０００３】
【発明が解決しようとする課題】
ここで、移動装置とサーバ装置との接続について検討する。ネットワーク構成としては、例えば図１のような構成が考えられる。図１に示すネットワークでは、会社Ａ、ＢおよびＣがそれぞれ地域Ａ、ＢおよびＣを担当しており、各地域に各種の装置が設置されている。図１において、加入者系パケット処理装置１１、１２、加入者情報蓄積装置２１、パケット関門装置３１、パケット関門中継装置４１、およびサーバ装置５１は、地域Ａに設置された装置である。また、加入者系パケット処理装置１３、加入者情報蓄積装置２２、パケット関門装置３２、パケット関門中継装置４２、およびサーバ装置５２は、地域Ｂに設置された装置である。また、パケット関門装置３３は、地域Ｃに設置された装置である。図１においては、設置されている装置のうちの一部しか示されていないが、実際には図１に示された装置より多くの装置が設置されている。
【０００４】
移動装置６１は、他の移動装置やサーバ装置と通信（ここでは、パケット通信）を行うことができる（移動）端末であり、携帯電話、ＰＨＳ等の形態をとることができる。ここでは、移動装置６１のユーザは会社Ｂと契約しているが、地域Ａ、ＢおよびＣのいずれの地域においても通信を行うことができるものとする。なお、ここでは、移動装置のユーザがどの会社と契約しているかは、その移動装置の番号（移動機番号）を見ればわかるものとする（そのように移動機番号を割り当てているものとする）。
【０００５】
加入者系パケット処理装置１１〜１３は、交換機の一種であり、基地局等を介して移動装置と通信を行うことができる。加入者情報蓄積装置２１は、会社Ａと契約しているユーザ（の移動装置）に関する情報（加入者情報）を蓄積しており、加入者情報蓄積装置２２は、会社Ｂと契約しているユーザ（の移動装置）に関する情報（加入者情報）を蓄積している。サーバ装置５１、５２は、移動装置に対してサービスを提供する。
【０００６】
図２は、移動装置がサーバ装置と通信を行う際のシーケンスの例を示す図である。ます、移動装置６１が加入者系パケット処理装置１１にパケット通信登録信号を送信する（ステップＳ１０）。その際、移動装置６１の番号（移動機番号）も送信する。移動機番号を見ればその移動装置がどの会社と契約しているかがわかるので、加入者系パケット処理装置１１は、移動装置６１が契約している会社Ｂの加入者情報蓄積装置、すなわち加入者情報蓄積装置２２に、パケット関門装置３１、３２を介してアクセスし、移動装置６１に関する情報を取得する（Ｓ２０、Ｓ３０）。そして、移動装置６１にパケット通信を許可する信号を送信する（Ｓ４０）。
【０００７】
次に、移動装置６１は、接続先番号（接続先サーバ装置の識別番号）を加入者系パケット処理装置１１に送信する。ここでは、地域Ｂにおいて接続先番号＃１２３４を指定するとサーバ装置５２に接続され、地域Ａにおいて接続先番号＃１２３４を指定するとサーバ装置５１に接続されるものとする。例えば、普段地域Ｂにいる移動装置６１が地域Ａにいる場合、接続先番号＃１２３４を指定してサーバ装置５２に接続しようとすると、サーバ装置５１に接続されることになる。
【０００８】
図２に戻り、移動装置６１が地域Ａにいる状態で、接続先番号＃１２３４を指定すると（Ｓ５０）、加入者系パケット処理装置１１はパケット関門装置３１にアクセスして接続先番号（＃１２３４）をＮＩＤ（ネットワークＩＤ、この場合はＡＢＣＤ）に変換した上で（Ｓ６０、Ｓ７０）、加入者系パケット処理装置１１自身およびパケット関門中継装置４１を介して、移動装置６１とサーバ装置５１とを接続する（Ｓ８０、Ｓ９０）。
【０００９】
ここで、移動装置を接続するサーバ装置を、その移動装置のユーザが契約している会社等に応じて変えることができれば便利であるものと考えられる。
【００１０】
また、移動装置を接続するサーバ装置を、移動装置に応じて変えることができれば便利であるものと考えられる。
【００１１】
そこで、本発明の目的は、端末（例えば、移動装置）を接続する通信装置（例えば、サーバ装置）を、その端末のユーザが契約している会社等に応じて変えられるようにすることである。
【００１２】
また、端末を接続する通信装置を、端末に応じて変えられるようにすることである。
【００１３】
【課題を解決するための手段】
上記目的を達成するために、請求項１に記載の発明は、交換機であって、端末のユーザが契約している契約会社と接続先通信装置と切替先通信装置との各々の識別情報が対応付けられた変換用情報を記憶する記憶手段と、端末から接続先通信装置の識別情報を受信する受信手段と、前記記憶手段に記憶された変換用情報に基づいて、前記受信手段により受信した接続先通信装置の識別情報を前記端末のユーザが契約している会社に応じた切替先通信装置の識別情報に変換する変換手段と、前記変換手段により変換された切替先通信装置の識別情報を用いて、前記切替先通信装置と前記端末との接続処理を行う接続手段とを備えたことを特徴とする。
【００２０】
請求項２に記載の発明は、交換機における端末と通信装置との接続処理方法であって、端末のユーザが契約している契約会社と接続先通信装置と切替先通信装置との各々の識別情報が対応付けられた変換用情報を記憶する記憶ステップと、端末から接続先通信装置の識別情報を受信する受信ステップと、前記記憶ステップにおいて記憶された変換用情報に基づいて、前記受信ステップにおいて受信した接続先通信装置の識別情報を前記端末のユーザが契約している会社に応じた切替先通信装置の識別情報に変換する変換ステップと、前記変換ステップにおいて変換された切替先通信装置の識別情報を用いて、前記切替先通信装置と前記端末との接続処理を行う接続ステップとを備えることを特徴とする。
【００２２】
以上の構成によれば、端末を接続する通信装置を、その端末のユーザが契約している会社等に応じて変えられるようにすることができる。
【００２３】
また、端末を接続する通信装置を、端末に応じて変えられるようにすることができる。
【００２４】
【発明の実施の形態】
以下、図面を参照しつつ本発明の実施の形態について詳しく説明する。
【００２５】
（第１実施形態）
本発明の第１実施形態について説明する。本実施形態においても、図１のネットワークを例に説明する。
【００２６】
図３は、本実施形態において、移動装置がサーバ装置と通信を行う際のシーケンスの例を示す図である。ステップＳ１１０〜Ｓ１５０は、図２のステップＳ１０〜Ｓ５０と同様である。本実施形態において、加入者系パケット処理装置１１は、接続先番号を変換するための情報を保持している。
【００２７】
図４は、加入者系パケット処理装置１１が保持する、接続先番号を変換するための情報の例を示す図である。ここで、契約会社コードは、会社Ａが“ＡＡＡＡ”であり、会社Ｂが“ＢＢＢＢ”であり、会社Ｃが“ＣＣＣＣ”であるものとする。
【００２８】
加入者系パケット処理装置１１は、移動装置から接続先番号を受信すると、図４に示す情報に基づいて接続先番号の変換を行う（Ｓ１５５）。ただし、移動装置のユーザが契約している会社が会社Ａである場合には、接続先番号の変換は行わない。加入者系パケット処理装置１１は、移動装置６１から接続先番号＃１２３４を受信すると、移動装置６１の番号（移動機番号）から、移動装置６１のユーザが契約している会社が会社Ｂ（会社コード“ＢＢＢＢ”）とわかるので、図４の情報に基づいて、接続先番号を＃１２３４から＃９０１２に変換する（切り替える）。ここで、接続先番号＃９０１２は、サーバ装置５２の識別情報（ここでは識別番号）である。
【００２９】
そして、加入者系パケット処理装置１１はパケット関門装置３１にアクセスして接続先番号（＃９０１２）をＮＩＤ（ＤＥＦＧ）に変換した上で（Ｓ１６０、Ｓ１７０）、加入者系パケット処理装置１１自身およびパケット関門中継装置４２を介して、移動装置６１とサーバ装置５２とを接続する（Ｓ１８０、Ｓ１９０）。
【００３０】
ここでは、移動装置６１をサーバ装置５２に接続するようにする例について説明したが、例えば、移動装置６１を、地域Ａに設置された、サーバ装置５１以外のサーバ装置に接続するようにすることもできる。
【００３１】
本実施形態においては、移動機番号からその移動装置のユーザが契約している会社を判断しているが、契約会社の情報（例えば、契約会社コード“ＢＢＢＢ”等）を加入者情報の一部として加入者系パケット処理装置１１が蓄積し、加入者系パケット処理装置１１からの加入者情報送信要求（Ｓ１２０）に応じて、加入者系パケット処理装置１１に送信する（Ｓ１３０）ようにしてもよい。加入者系パケット処理装置１１は、受信した契約会社の情報に基づいて判断を行えばよい。
【００３２】
（第２実施形態）
本発明の第２実施形態について説明する。本実施形態においても、図１のネットワークを例に説明する。
【００３３】
図５は、本実施形態において、移動装置がサーバ装置と通信を行う際のシーケンスの例を示す図である。ステップＳ２１０〜Ｓ２５０は、図２のステップＳ１０〜Ｓ５０と基本的に同様である。ただし、本実施形態においては、ステップＳ２３０において、加入者情報の一部として、接続先切替機能情報（ＯＮ（オン）またはＯＦＦ（オフ））、および切替先接続先番号が、加入者情報蓄積装置２２から加入者系パケット処理装置１１に送信される。
【００３４】
図６は、接続先切替機能情報および切替先接続先番号の例を示す図である。
【００３５】
加入者系パケット処理装置１１は、移動装置から接続先番号を受信すると、その移動装置の接続先切替機能情報および切替先接続先番号に基づいて接続先番号の変換を行う（Ｓ２５５）。接続先切替機能情報がＯＮである場合には、受信した接続先番号を切替先接続先番号に変換し、接続先切替機能情報がＯＦＦである場合には、接続先番号の変換は行わない。図６に示すように、移動装置６１の接続先切替機能情報がＯＮであり、切替先接続先番号が＃９０１２である場合に、移動装置６１から接続先番号＃１２３４を受信した場合、接続先番号を＃１２３４から＃９０１２に切り替える。
【００３６】
そして、加入者系パケット処理装置１１はパケット関門装置３１にアクセスして接続先番号（＃９０１２）をＮＩＤ（ＤＥＦＧ）に変換した上で（Ｓ２６０、Ｓ２７０）、加入者系パケット処理装置１１自身およびパケット関門中継装置４２を介して、移動装置６１とサーバ装置５２とを接続する（Ｓ２８０、Ｓ２９０）。
【００３７】
（その他）
以上の説明では、端末として移動装置６１（移動端末）を用いた場合を例に説明したが、本発明は、端末として固定の端末を用いた場合にも適用することができる。
【００３８】
【発明の効果】
以上説明したように本発明によれば、端末を接続する通信装置を、その端末のユーザが契約している会社等に応じて変えられるようにすることができる。
【００３９】
また、端末を接続する通信装置を、端末に応じて変えられるようにすることができる。
【図面の簡単な説明】
【図１】ネットワークの構成例を示す図である。
【図２】移動装置がサーバ装置と通信を行う際のシーケンスの例を示す図である。
【図３】本発明の第１実施形態において、移動装置がサーバ装置と通信を行う際のシーケンスの例を示す図である。
【図４】加入者系パケット処理装置が保持する、接続先番号を変換するための情報の例を示す図である。
【図５】本発明の第２実施形態において、移動装置がサーバ装置と通信を行う際のシーケンスの例を示す図である。
【図６】接続先切替機能情報および切替先接続先番号の例を示す図である。
【符号の説明】
１１〜１３  加入者系パケット処理装置
２１、２２  加入者情報蓄積装置
３１〜３３  パケット関門装置
４１、４２  パケット関門中継装置
５１、５２  サーバ装置
６１  移動装置
【図１】
0003825653.tif 000002
【図２】
0003825653.tif 000003
【図３】
0003825653.tif 000004
【図４】
0003825653.tif 000005
【図５】
0003825653.tif 000006
【図６】
0003825653.tif 000007